(57)【要約】【課題】ドアノブを素手と非接触にして確実に回せ、且つ、操作ボタンや吊り輪とも素手と非接触で押したり、吊り下がれるドアノブ回し具を提供する。【解決手段】ドアノブ回し具１は、ドアノブを非接触で回すためのドアノブ回し具１であって、鋼線からなり、直線部３と、前記直線部３の一端側に設けた半円形状の円弧部４と、前記直線部３の他端側に設けられ、下向き（外向き）に鋭角状の曲げ部６を含む掴み部５と、を含む曲げ線材２を備え、前記曲げ線材２における前記円弧部４の周面と、前記円弧部４に臨接する前記直線部３の周面とにおいて、逆Ｊ字形状（Ｊ字形状）または逆Ｕ字形状（Ｕ字形状）の樹脂チューブ１０が密着している。【選択図】図１
0003227330.tif 000002
【実用新案登録請求の範囲】
【請求項１】
ドアノブを非接触で回すためのドアノブ回し具であって、
鋼線からなり、直線部と、前記直線部の一端側に設けた半円形状の円弧部と、前記直線部の他端側に設けられ、外向きに鋭角状の曲げ部を含む掴み部と、を含む曲げ線材を備え、
前記曲げ線材における前記円弧部の周面と、該円弧部に臨接する前記直線部の周面とにおいて、Ｊ字形状またはＵ字形状の樹脂チューブが密着している、
ことを特徴とするドアノブ回し具。
【請求項２】
前記曲げ線材における前記掴み部は、前記鋭角状の曲げ部に連設して、前記直線部と複数回に亘って交差する円形状部を有している、
請求項１に記載のドアノブ回し具。
【請求項３】
前記曲げ線材における前記鋭角状の曲げ部の先端部は、凸形状の曲面である、
請求項１または２に記載のドアノブ回し具。
【請求項４】
前記樹脂チューブは、動摩擦係数（μ）が０．２以上の合成樹脂からなる、
請求項１から３の何れか一項に記載のドアノブ回し具。
【請求項５】
前記曲げ線材において、少なくとも、前記半円形状の円弧部の端部には樹脂製のエンドキャップが固着されている、
請求項１から４の何れか一項に記載のドアノブ回し具。
【考案の詳細な説明】
【技術分野】
【０００１】
本考案は、ドアノブ回し具に関する。
【背景技術】
【０００２】
例えば、円柱形状のドアノブの円周方向に沿って装着され、合成ゴムなどの弾性材からなり、全体が円筒形状を呈し、且つ円周方向に沿って複数の係止孔を等間隔に設けたドアノブ用カバーが提案されている(例えば、特許文献１参照)。前記ドアノブ用カバーによれば、滑り止め効果を有し、非力な者でもドアノブへの装着や交換が容易に行えると共に、交換を早めて衛生的な使用も可能になる。
【０００３】
更に、ポリプロピレンからなり、Ｃ字形状の環状部と、該環状部の両端から側方に向かって上下対称に且つ一体に延びた上下一対の半割部と、前記環状部の内周面に沿って固着された滑り止め層と、該滑り止め層の内側に円柱形状のドアノブを挿入した状態で、前記一対の半割部の対向面同士が互いに面接触するように保持する保持金具と、を備えたドアノブ用補助レバーも提案されている。前記ドアノブ用補助レバーによれば、握力の弱い子供、高齢者、障害者などでも、回転モーメントを活用できるため、ドアノブを容易且つ確実に回すことができる。
【先行技術文献】
【特許文献】
【０００４】
【特許文献１】登録実用新案第３１４１６９１号公報
【特許文献２】特開２００１−３４９１０４号公報
【考案の概要】
【考案が解決しようとする課題】
【０００５】
ところで、２０２０年の３月頃から世界的に広がった新型コロナ肺炎のウィルス感染を防ぐには、個々人が他人と間接的に接触する事態、例えば、他人の手が触れたドアノブ、ドアハンドル、車両の吊革、エレベータなどの操作ボタンに直に手を触れないことが求められている。しかし、前記特許文献１に記載のドアノブ用カバーは、ある程度汚れてくると交換されるが、通常はドアノブに装着されているため、他人の素手との間接的な接触を防ぐことができない。また、特許文献２に記載の前記ドアノブ用補助レバーも、通常はドアノブに装着したまま使用するため、他人の素手との間接的な接触を防ぐことができない。
【０００６】
本考案は、前述した問題点を解決し、ドアノブを素手とは非接触にして確実に回せ、且つ操作ボタンや吊り輪とも、素手とは非接触で押したり、吊り下がれると共に、軽量で且つ安価に製造できるドアノブ回し具を提供する、ことを課題とする。
【課題を解決するための手段】
【０００７】
前記課題を解決するため、本考案のドアノブ回し具は、
ドアノブを非接触で回すためのドアノブ回し具であって、
鋼線からなり、直線部と、前記直線部の一端側に設けた半円形状の円弧部と、前記直線部の他端側に設けられ、外向きに鋭角状の曲げ部を含む掴み部と、を含む曲げ線材を備え、
前記曲げ線材における前記円弧部の周面と、該円弧部に臨接する前記直線部の周面とにおいて、Ｊ字形状またはＵ字形状の樹脂チューブが密着している。
【０００８】
尚、本考案のドアノブ回し具は、前記曲げ線材における前記掴み部は、前記鋭角状の曲げ部に連設して、前記直線部と複数回に亘って交差する円形状部を有している。
【０００９】
また、本考案のドアノブ回し具は、曲げ線材における前記鋭角状の曲げ部の先端部が、凸形状の曲面である。
【００１０】
更に、本考案のドアノブ回し具は、前記樹脂チューブは、動摩擦係数（μ）が０．２以上の合成樹脂（例えば、ポリプロビレン）からなる。
【００１１】
加えて、本考案のドアノブ回し具は、前記曲げ線材において、少なくとも、前記半円形状の円弧部の端部には樹脂製のエンドキャップが固着されている。但し、前記円形状部側の先端部にも、前記エンドキャップを固着しても良い。
【考案の効果】
【００１２】
前記ドアノブ回し具によれば、ドアノブを素手とは非接触にして確実に回したり、操作ボタンなどを素手とは非接触で押したり、更に、吊り輪に素手とは非接触で吊り下がったりできる。
【図面の簡単な説明】
【００１３】
【図１】本考案による一形態のドアノブ回し具を示す正面図。
【図２】前記ドアノブ回し具を示す背面図。
【図３】（Ａ）は、前記ドアノブ回し具によってドアノブを回す直前の状態を示す概略図、（ａ）は、（Ａ）中の矢印ａの矢視に沿った部分断面図、（Ｂ）は、前記ドアノブ回し具によってドアノブを回した直後の状態を示す概略図。
【図４】（Ａ）は、前記ドアノブ回し具により操作ボタンを押す状態を示す概略図、（Ｂ）は、前記ドアノブ回し具を介して吊り輪に吊り下がった状態を示す概略図。
【考案を実施するための形態】
【００１４】
以下において、本考案を実施するための形態について説明する。尚、鋼線は、直径が４ｍｍ前後の細い棒状の鋼線材であり、その材料には、弾性限が高く、且つ疲労強度が大きなバネ鋼（冷間加工バネ）が推奨される。また、曲げ線材は、種々の３次元曲げ加工装置によって、鋼線を立体形状を含む任意の形状に複数回に亘って曲げ加工したものである。
【００１５】
本考案のドアノブ回し具１は、図１の正面図と図２の背面図に示すように、１本の鋼線を複数回に亘り曲げ加工して得られた曲げ線材２と、曲げ線材２の一端側に密着して巻き付けた樹脂チューブ１０と、を備えている。曲げ線材２は、直径が約４ｍｍのバネ鋼からなる１本の鋼線を、３次元曲げ加工装置によって、一端側から他端側に向かって、複数の曲げ加工を順次施したものである。具体的には、図示で垂直姿勢の直線部３と、直線部３の上端側から斜め上方に向かって半円形状に延びた円弧部４と、直線部３の下端側に位置する下向き（外向き）の鋭角状の曲げ部６を含む掴み部５と、から構成されている。曲げ部６の下端部（先端部）は、凸形状の曲面Ｒである。尚、円弧部４の内径は、約５ｃｍである。
【００１６】
掴み部５は、図１，図２に示すように、曲げ部６から斜め上方、および、前記とは反対側の斜め上方に順次延びつつ連設され、且つ直線部３の外周面と接触または接近する複数（本形態では３つ）の交差部ｃを経て、全体として半径が徐々に小さくなる渦巻き状に１回転超の曲がり線に沿う円形状部７を有している。即ち、直線部３、円弧部４、および、掴み部５からなる曲げ線材２は、全体がほぼト音記号を上下逆向きにしたデザインを呈している。尚、曲げ部６と円形状部７とを併有する掴み部５は、図１，図２で示すように、片手の掌によって、容易且つ安全に掴み易くなっている。
【００１７】
図１，図２に示すように、円弧部４の外周面と、これに隣接する直線部３の上部側の外周面とには、動摩擦係数（μ）の高い透明な合成樹脂からなる樹脂チューブ１０が、図示で逆Ｊ字形状（Ｊ字形状）を呈して密着している。樹脂チューブ１０は、例えば、動摩擦係数（μ）が０．２以上の合成樹脂からなり、外径が約５ｍｍ、および内径が約４ｍｍの円筒体であって、円弧部４の先端側から強制的に軸方向に沿って嵌め込まれたものである。尚、動摩擦係数（μ）が０．２以上の合成樹脂には、ポリスチレン（ＰＳ）、ＡＢＳ樹脂、ポリカーボネート（ＰＣ）、ポリプロピレン（ＰＰ）、ポリ塩化ビニル（ＰＶＣ）などが含まれる。
【００１８】
更に、図１，図２に示すように、円弧部４の先端部と、掴み部５における円形状部７の先端部８とには、樹脂製のエンドキャップ９が、ネジ込みまたは接着などによって、個別に固着されている。但し、円形状部７の先端部８が半球形に研磨されている場合は、先端部８へのエンドキャップ９の固着は、省略しても良い。尚、エンドキャップ９は、例えば、ポリプロピレンやポリ塩化ビニルなどの射出成形品である。
【００１９】
前述したドアノブ回し具１は、次のようにして製造される。予め、直径が約４ｍｍのバネ鋼からなる所定長さの鋼線（図示せず）を１本用意する。次いで、鋼線をその一端側から他端側に向かって、３次元曲げ加工装置に通して複数の曲げ加工を順次施す。その結果、図１，図２に示したように、直線部３、円弧部４、および掴み部５からなり、全体がほぼト音記号を上下逆向きにしたデザインを呈する曲げ線材２が得られる。次に、曲げ線材２の全表面に対し、例えば、電着塗装などによって、所望の色彩を彩色する。
【００２０】
更に、彩色された曲げ線材２における円弧部４の先端側から、直線状の樹脂チューブ１０を、円弧部４とこれに隣接する直線部３とに亘って、強制的に順次嵌め込む。その結果、全体が逆Ｊ字形状に屈曲した樹脂チューブ１０が得られる。そして、樹脂チューブ１０から突出した円弧部４の先端部と、掴み部５における円形状部７の先端部８とに対し、それぞれ樹脂製のエンドキャップ９を固着する。これによって、ドアノブ回し具１を得ることができる。尚、曲げ線材２に対する彩色工程は、省略することも可能である。但し、曲げ線材２を彩色した場合には、ドアノブ回し具１を洗剤で容易に丸洗いした後、乾燥させて清潔に保つことができる。
【００２１】
以下において、ドアノブ回し具１の使用方法を説明する。図３（Ａ）に示すように、ドアＤから手前側に突出したドアノブＤＮの手前に立った右利きの使用者（図示せず）は、右手の掌側でドアノブ回し具１の掴み部５を背面側から掴むことで、ドアノブ回し具１の円弧部４の中心軸がドアノブＤＮの中心軸と同軸心状となり、且つ掴み部５を図示のように斜め右下側に延びた姿勢とする。この際、図３（ａ）で示すように、円柱形状のドアノブＤＮにおける軸方向の中間に位置する円周面には、ドアノブ回し具１の円弧部４とこれに隣接する直線部３に巻き付けた樹脂チューブ１０が半円形状に密に接触している。
【００２２】
前述の状態で、図３（Ａ）中の湾曲した矢印で示すように、使用者が右手を時計回り（右周り）方向に沿って、約４５度から約５０度の範囲で回転させる。すると、ドアノブ回し具１を用いたことで生じる回転モーメントを伴って、図３（Ｂ）に示すように、ドアノブ回し具１は、その直線部３がほぼ垂直姿勢となる。かかる回転操作に伴って、ドアノブＤＮもほぼ同じ回転角度で回転する。その結果、ドアノブＤＮと連動している止め金（図示せず）が、ドアＤの側面に隣接するドア枠（図示せず）内からドアＤ内に後退（没入）するため、ドアＤの閉鎖状態が解除される。更に、使用者がドアノブ回し具１を手前側に引き寄せることで、ドアＤを開放状態にすることができる。
【００２３】
尚、使用者が左利きの場合には、左手の掌側でドアノブ回し具１の掴み部５を正面側から掴んで、円弧部４の中心軸をドアノブＤＮの中心軸と同軸心状とし、前記と同様に、左手を時計回り（右周り）方向に沿って前記同様の角度で回転させた後、ドアノブ回し具１を手前側に引き寄せることで、ドアＤを開放状態にすることができる。
【００２４】
以上のように、ドアノブ回し具１によれば、使用者の素手とは非接触の状態で、且つ比較的少ない力によって、ドアノブＤＮを容易且つ確実に回せると共に、連続してドアＤを開放させることができる。更に、ドアノブ回し具１は、曲げ線材２を主体としているので、軽量で且つサイズも比較的コンパクトである。そのため、個々人の専用物として、容易に持ち運びができる。しかも、比較的簡単な製造方法によって、安価に提供することも可能である。
【００２５】
尚、ドアノブＤＮが、平面視または側面視でＬ字形状を呈するハンドル型（以下、Ｌ型ハンドルと称する）である場合には、ドアノブ回し具１の円弧部４における内周面の中央付近を、Ｌ型ハンドルの長辺に対して直交するように接触させた状態のまま、Ｌ型ハンドルを時計回り（右周り）方向に約４５度程回転させた後、掴み部５を手前側に引き寄せることにより、ドアノブＤＮの解錠と、ドアＤの開放とを行うことが可能である。
【００２６】
図４（Ａ）は、各種の操作ボタンＢを、素手とは非接触で押す操作を示す概略図である。尚、操作ボタンＢは、例えば、ＡＴＭ機のように、下向きに押し込む形態に限らず、エレベータのような横向き（前方）に押し込む形態、あるいは、乗車券などの券売機のように斜め下向き押し込む形態であっても良い。
【００２７】
図４（Ａ）に示すように、操作ボタンＢの表面に、ドアノブ回し具１を、直線部３が直交状となる姿勢で、掴み部５における鋭角状の曲げ部６の先端部の曲面Ｒを接触させつつ、同図中の矢印で示すように、掴み部５を掴んだ使用者の手をボタンＢ側に押し付ける。その結果、素手とは非接触の状態で、且つ比較的少ない力によって、各種の操作ボタンＢを容易且つ確実に押し込んで所望の対応（待遇など）を確実に得ることができる。尚、ドアノブ回し具１は、操作ボタンＢに替えて、液晶表示方式などのタッチ式パネルとなっている形態であっても、前記と同様の操作で用いることができる。
【００２８】
また、図４（Ａ）中で破線で示すテーブルＴの周辺に、円弧部４側のエンドキャップ９を介して、直線部３がほぼ垂直姿勢となるように、ドアノブ回し具１を吊り下げても良い。かかる吊り下げ姿勢のドアノブ回し具１における上下３箇所の交差部ｃごとの隙間に、図示しない各種のバッグの手掛け輪、あるいは肩掛け帯を差し通すことで、バッグを垂直状の姿勢で保持することが可能となる。
【００２９】
因みに、曲げ線材２の支持荷重は、５０ｋｇ超であるため、重い物を入れたバッグであっても、スペースを取ることなく、容易に吊り下げて支持できる。尚、ドアノブ回し具１は、テーブルＴを水平姿勢の棚板に替えた場合でも、前記と同様に用いることができる。また、バッグに替えて、上下３箇所の交差部ｃごとの隙間に、メモ用紙やカレンダーなどを挟むこともできる。
【００３０】
図４（Ｂ）は、ドアノブ回し具１を介して、使用者が吊り輪Ｗに吊り下がった状態を示す概略図である。例えば、通勤電車や通勤バスの吊り輪Ｗには、不特定多数者の指が掴まるため、夏季などにおける不衛生さに加えて、特に今般の新型コロナ肺炎のウィルス感染による危険性が指摘されている。
【００３１】
そのため、図４（Ｂ）に示すように、図示しない使用者が自己の利き手で、ドアノブ回し具１の掴み部５を掴み、円弧部４の先端側を、吊り輪Ｗの内側に挿通した後、円弧部４の内周面の最上部を覆う樹脂チューブ１０を、吊り輪Ｗの内周面の最下部に対して直交するように接触させる。これにより、使用者は、吊り輪Ｗを支持している吊り下げ帯の軸方向と、ドアノブ回し具１の直線部３とをほぼ直線状とした状態下で、自己の立錐姿勢を一定状態に安定して保つことができる。尚、吊り輪Ｗは、リング（円環）形状に限らず、側面視でほぼ三角形（おむすび形）状を呈する形態も含んでいる。
【００３２】
また、例えば、コンビニなどの冷蔵ショーケースのガラスドアを手前側に開く際にも、ガラスドアの枠材から手前側に突出し、且つ側面視で縦長のコ字形ハンドルの内側に、円弧部４の先端側を差し込んだ状態で、手前側に引くことによって、ガラスドアを素手とは非接触で開放することができる。
【００３３】
本考案の実施の形態には、更に次のものが含まれる。例えば、円弧部４は、半円形状の形態に限らず、半楕円形状を呈する形態、あるいは、半長円形状を呈する形態としても良い。
【００３４】
また、掴み部５における鋭角状の曲げ部６は、直線部３の一部を含まない全体がほぼＶ字形状またはＵ字形状を呈し、その先端部（頂部）に凸状の曲面Ｒを有する形態としても良い。
【００３５】
更に、掴み部５における円形状部７は、全体が１周未満の渦巻き形状、あるいは約２周の渦巻き形状としたり、使用者の掌を圧迫したり、傷付けない範囲において、一部に直線部分を含む形態としても良い。
【００３６】
加えて、樹脂チューブ１０は、主に円弧部４の外周面を覆う逆Ｕ字形状（Ｕ字形状）の形態としても良い。あるいは、透明の形態に限らず、任意の色彩に彩色したり、色彩を有する半透明の形態としても良い。
【００３７】
本考案は、その趣旨を逸脱しない範囲内において、適宜変更した形態とすることができる。
【産業上の利用可能性】
【００３８】
本考案によれば、ドアノブを素手とは非接触にして確実に回せ、且つ操作ボタンや吊り輪も、素手とは非接触で押したり、吊り下がれると共に、軽量で且つ安価に製造できるドアノブ回し具を提供できる。
【符号の説明】
【００３９】
１  ドアノブ回し具
２  曲げ線材
３  直線部
４  円弧部
５  掴み部
６  曲げ部
７  円形状部
８  （円形状部の）先端部
９  エンドキャップ
１０  樹脂チューブ
ｃ  交差部
Ｄ  ドア
ＤＮ  ドアノブ
Ｂ  ボタン
Ｗ  吊り輪
Ｒ  曲面
【図１】
0003227330.tif 000003
【図２】
0003227330.tif 000004
【図３】
0003227330.tif 000005
【図４】
0003227330.tif 000006